【手続補正書】
【提出日】平成23年12月1日(2011.12.1)
【手続補正１】
【補正対象書類名】特許請求の範囲
【補正対象項目名】全文
【補正方法】変更
【補正の内容】
【特許請求の範囲】
【請求項１】
固体燃料ロケットモータにおいて、
ケースと、
前記ケース内に配置されている推進薬と、
前記ケース内に配置されている複数の推進剤ペレットと、
前記推進薬と前記複数の推進剤ペレットとに点火するために配置されている点火器と、
前記ケースに結合されているノズルと、
前記ケース内に未燃焼の推進剤ペレットを保持するためのペレット保持器とを具備し、
燃焼ガスが、前記ペレット保持器中のせん孔を通して、前記点火された推進剤ペレットから前記ノズルに流れ、
前記ペレット保持器におけるせん孔の総面積は、前記ノズル内のスロートの断面積より大きく、
前記推進薬からの燃焼ガスと前記推進剤ペレットからの燃焼ガスとが、前記ノズルを通して流れ、推力を生成させる固体燃料ロケットモータ。
【請求項２】
推進剤ペレットが、前記ケースの一部内にランダムに配置されている請求項１記載の固体燃料ロケットモータ。
【請求項３】
前記ペレット保持器中のせん孔は、燃焼が、前記推進剤ペレットのサイズを減少させて、予め定められたサイズを下回るまで、前記推進剤ペレットが前記ペレット保持器を通過するのを防ぐ請求項１記載の固体燃料ロケットモータ。
【請求項４】
前記ペレット保持器中のせん孔を通過した後、前記ノズルを通過するよりも前に、前記推進剤ペレットのうちの少なくともいくつかが燃焼を完了する請求項３記載の固体燃料ロケットモータ。
【請求項５】
前記推進薬が漸増型燃焼を有し、
前記推進薬の前記漸増型燃焼を少なくとも部分的に補償する漸減型燃焼を前記推進剤ペレットが有する請求項１記載の固体燃料ロケットモータ。
【請求項６】
前記推進薬が、円筒形中央せん孔と、テーパー付円筒形中央せん孔とのうちの１つを有する請求項５記載の固体燃料ロケットモータ。
【請求項７】
前記推進薬と前記複数の推進剤ペレットとの双方が燃焼しているときに、前記ロケットモータが、より高い推力の初期期間を提供し、前記推進剤ペレットが使い果たされた後に、より低い推力の期間が続く請求項１記載の固体燃料ロケットモータ。
【請求項８】
前記推進薬は、前記推進剤ペレットが使い果たされた後の、少なくとも予め定められた期間の間、中立型燃焼を提供する請求項７記載の固体燃料ロケットモータ。
【請求項９】
前記推進薬は、星形状の中央空洞またはフィノシル（ｆｉｎｏｃｙｌ）の中央空洞のうちの１つを有する請求項８記載の固体燃料ロケットモータ。
【請求項１０】
前記推進剤ペレットが１８００℃を下回る燃焼温度を有する請求項１記載の固体燃料ロケットモータ。
【請求項１１】
前記推進剤ペレットの質量の少なくとも６０％は、硝酸グアニジンと塩基性硝酸銅である請求項１０記載の固体燃料ロケットモータ。
【請求項１２】
前記ペレット保持器は、少なくとも部分的に、モリブデンとＴＺＭ合金とのうちの１つから製造されている請求項１０記載の固体燃料ロケットモータ。
【請求項１３】
前記推進剤ペレットと前記推進薬により生成される燃焼ガスの平均温度が、予め定められた温度を下回る請求項１記載の固体燃料ロケットモータ。
【請求項１４】
前記ペレット保持器が、少なくとも部分的に、モリブデンとＴＺＭ合金とのうちの１つから製造されることが可能になるように、前記予め定められた温度が設定されている請求項１３記載の固体燃料ロケットモータ。
【請求項１５】
前記予め定められた温度は２５００℃である請求項１３記載の固体燃料ロケットモータ。
【請求項１６】
固体燃焼ロケットモータにおいて、
ケースと、
前記ケース内に配置され、漸増型燃焼を有する推進薬と、
前記ケース内に配置され、前記推進薬の前記漸増型燃焼を少なくとも部分的に補償する漸減型燃焼を有する複数の推進剤ペレットと、
前記推進薬と前記複数の推進剤ペレットとに点火するように配置されている点火器と、
前記ケースに結合されているノズルとを具備し、
前記推進薬からの燃焼ガスと前記推進剤ペレットからの燃焼ガスとが、前記ノズルを通して流れ、推力を生成させ、
前記推進薬の燃焼時間と前記推進剤ペレットの燃焼時間とがおおよそ等しい固体燃料ロケットモータ。
【請求項１７】
固体燃焼ロケットモータにおいて、
ケースと、
前記ケース内に配置され、漸増型燃焼を有する推進薬と、
前記ケース内に配置され、前記推進薬の前記漸増型燃焼を少なくとも部分的に補償する漸減型燃焼を有する複数の推進剤ペレットと、
前記推進薬と前記複数の推進剤ペレットとに点火するように配置されている点火器と、
前記ケースに結合されているノズルとを具備し、
前記推進薬からの燃焼ガスと前記推進剤ペレットからの燃焼ガスとが、前記ノズルを通して流れ、推力を生成させ、
前記推進薬の推力の変化のレートと、前記推進剤ペレットの推力の変化のレートとがおおよそ等しい固体燃料ロケットモータ。
【請求項１８】
固体燃焼ロケットモータにおいて、
ケースと、
前記ケース内に配置され、漸増型燃焼を有する推進薬と、
前記ケース内に配置され、前記推進薬の前記漸増型燃焼を少なくとも部分的に補償する漸減型燃焼を有する複数の推進剤ペレットと、
前記推進薬と前記複数の推進剤ペレットとに点火するように配置されている点火器と、
前記ケースに結合されているノズルとを具備し、
前記推進薬からの燃焼ガスと前記推進剤ペレットからの燃焼ガスとが、前記ノズルを通して流れ、推力を生成させ、
前記ロケットモータは、モータの燃焼時間の少なくとも一部の間、本質的に一定の推力を提供する固体燃料ロケットモータ。
【手続補正２】
【補正対象書類名】明細書
【補正対象項目名】００５８
【補正方法】変更
【補正の内容】
【００５８】
ここで使用するような、「および／または」は、列挙したアイテムは代替的なものであるが、代替的なものも、列挙されたアイテムの任意の組み合わせを含むことを意味している。
以下に、本願出願の当初の特許請求の範囲に記載された発明を付記する。
［１］固体燃料ロケットモータ（３００）において、
ケースと、
前記ケース内に配置されている推進薬（３２０）と、
前記ケース内に配置されている複数の推進剤ペレット（３２５）と、
前記推進薬と前記複数の推進剤ペレットとに点火するために配置されている点火器（３５０）と、
前記ケースに結合されているノズル（３４０）とを具備し、
前記推進薬からの燃焼ガスと前記推進剤ペレットからの燃焼ガスとが、前記ノズルを通して流れ、推力を生成させる固体燃料ロケットモータ（３００）。
［２］燃料ペレットが、前記ケースの一部内にランダムに配置されている［１］に記載の固体燃料ロケットモータ。
［３］前記ケース内に未燃焼の推進剤ペレットを保持するためのペレット保持器（３３５）をさらに具備する［１］に記載の固体燃料ロケットモータ。
［４］排気ガスが、前記点火された燃料ペレットから前記ノズルに流れることが可能になるように、前記ペレット保持器がせん孔されている［３］に記載の固体燃料ロケットモータ。
［５］燃焼が、前記燃料ペレットのサイズを減少させて、予め定められたサイズを下回るまで、前記燃焼ペレットが前記ペレット保持器を通過するのを防ぐように、せん孔が適合されている［４］に記載の固体燃料ロケットモータ。
［６］前記ペレット保持器を通過した後、前記ノズルを通過するよりも前に、前記燃料ペレットのうちの少なくともいくつかが燃焼を完了することが可能になる十分な長さだけ、前記ペレット保持器が、前記ノズルから離れている［５］に記載の固体燃料ロケットモータ。
［７］前記ペレット保持器におけるせん孔の総面積が、前記ノズル内のスロートの断面積より大きい［４］に記載の固体燃料ロケットモータ。
［８］前記推進薬が漸増型燃焼を有し、
前記推進剤ペレットが、前記推進薬の前記漸増型燃焼を少なくとも部分的に補償するように適合されている［１］に記載の固体燃料ロケットモータ。
［９］前記推進薬が、円筒形中央せん孔と、テーパー付円筒形中央せん孔とのうちの１つを有する［８］に記載の固体燃料ロケットモータ。
［１０］前記推進薬と前記複数の推進剤ペレットとの双方が燃焼しているときに、前記ロケットモータが、より高い推力の初期期間を提供し、前記推進剤ペレットが使い果たされた後に、より低い推力の期間が続く［１］に記載の固体燃料ロケットモータ。
［１１］前記推進薬は、前記推進剤ペレットが使い果たされた後の、少なくとも予め定められた期間の間、中立型燃焼を提供するように適合されている［１０］に記載の固体燃料ロケットモータ。
［１２］前記推進薬は、星形状の中央空洞またはフィノシル（ｆｉｎｏｃｙｌ）の中央空洞のうちの１つを有する［１１］に記載の固体燃料ロケットモータ。
［１３］前記燃料ペレットが１８００℃を下回る燃焼温度を有する［１］に記載の固体燃料ロケットモータ。
［１４］前記燃料ペレットの質量の少なくとも６０％は、硝酸グアニジンと塩基性硝酸銅である［１３］に記載の固体燃料ロケットモータ。
［１５］前記ペレット保持器は、少なくとも部分的に、モリブデンとＴＺＭ合金とのうちの１つから製造されている［１３］に記載の固体燃料ロケットモータ。
［１６］前記推進剤ペレットと前記推進薬が、予め定められた温度を下回る、結果として生じる混合された燃焼温度を維持するように適合されている［１］に記載の固体燃料ロケットモータ。
［１７］前記ペレット保持器が、少なくとも部分的に、モリブデンとＴＺＭ合金とのうちの１つから製造されることが可能になるように、前記予め定められた温度が設定されている［１６］に記載の固体燃料ロケットモータ。
［１８］前記予め定められた温度は２５００℃である［１６］に記載の固体燃料ロケットモータ。
［１９］固体燃料ロケットモータにおいて、
ケースと、
前記ケース内に配置されている推進薬と、
複数の推進剤ペレットと、
前記推進剤ペレットを前記ケース内に保持する手段と、
前記推進薬と前記推進剤ペレットとに点火する手段と、
前記点火された推進薬と推進剤ペレットとにより生成されるガスが、推力を生成させるように誘導する手段とを具備する固体燃料ロケットモータ。